(57)【特許請求の範囲】
【請求項１】
上面に化粧料収容凹部が形成された容器本体と、上記容器本体の上面を蓋する蓋体と、上記蓋体の裏面にその周側壁の内周面に沿って環状に配置され上記容器本体の上面に圧接して化粧料収容凹部の気密を保持する気密用弾性枠とを備え、上記蓋体の周側壁の内周面に、周側壁の延びる方向に沿って断続的に嵌合用凹部もしくは嵌合用凸部を形成し、上記気密用弾性枠の外周面に、上記嵌合用凹部もしくは嵌合用凸部に着脱自在に嵌合する被嵌合用凸部もしくは被嵌合用凹部を形成し、上記嵌合用部と被嵌合用部との嵌合により気密用弾性枠を蓋体の裏面に取着するように構成するとともに、上記蓋体の裏面に、上記蓋体の周側壁との間に所定の間隔をあけた状態で、上記嵌合用凹部もしくは嵌合用凸部に対応する個所がとぎれるように上記周側壁の延びる方向に沿って断続的に位置決め用凸部を突設し、上記蓋体と気密用弾性枠との嵌合時に、上記蓋体の裏面に取着された気密用弾性枠の内周面に上記位置決め用凸部を当接させるようにしたことを特徴とする気密容器。
【請求項２】
上記気密用弾性枠の外周面に形成される被嵌合用凸部もしくは被嵌合用凹部が、上記外周面の上下方向中央部に形成されている請求項１記載の気密容器。
【発明の詳細な説明】
【技術分野】
【０００１】
本発明は、揮発性の高い化粧料等の内容物を収容するのに適した気密容器に関するものである。
【背景技術】
【０００２】
従来から、揮発性成分を含有する化粧料等を収容する化粧料容器等の気密容器として、その内部の気密性を保つために、各種の化粧料容器等が提案されているが、このようなものとして、例えば、図３１に示す気密化粧料容器がある。この気密化粧料容器は、上面に化粧料収納部５１ａが形成されこの化粧料収納部５１ａの周縁部に環状溝部５１ｂが形成された容器本体５１と、この容器本体５１を開閉する蓋体５２と、上記容器本体５１の環状溝部５１ｂに取り付けられるリング状パッキン５３とを備えており、このリング状パッキン５３の外側形状に沿うようにして上記蓋体５２の裏面から筒状リブ５２ａを一体に突設し、上記容器本体５１に蓋体５２を閉止した状態では、上記リング状パッキン５３の膨出部５３ａを筒状リブ５２ａの内周に圧接させて、化粧料収納部５１ａ内を密閉するようにしている（例えば、特許文献１参照）。
【０００３】
ところが、上記の気密化粧料容器では、上記容器本体５１の化粧料収納部５１ａの周縁部に形成した環状溝部５１ｂにリング状パッキン５３を取り付けているため、リング状パッキン５３が大径化して高価になる。そこで、例えば、図３２に示すように、蓋体５６に環状ガスケット５７を設けることで環状ガスケット５７を小径化できるようにしたコンパクト容器が提案されている。このコンパクト容器は、上面中央に皿部５５ａが形成されこの皿部５５ａに化粧料５８が充填された容器本体５５と、この容器本体５５の上面を蓋する蓋体５６と、この蓋体５６の天面に配設された環状ガスケット５７とを備えており、この環状ガスケット５７を上記蓋体５６の天面に接着，固定した凹面板５９で内嵌状に保持するようにしている（例えば、特許文献２参照）。
【特許文献１】特開平１１−５６４５６号公報
【特許文献２】特開平１０−２７２０１２号公報
【発明の開示】
【発明が解決しようとする課題】
【０００４】
しかしながら、上記のコンパクト容器では、上記蓋体５６の天面に配設した環状ガスケット５７を、上記蓋体５６の天面に固定した凹面板５９で保持しているため、上記蓋体５６，環状ガスケット５７以外に凹面板５９が必要となり、その分高価になるうえ、部品点数が多くなり、在庫管理等の管理面が複雑化する。しかも、上記蓋体５６の天面に凹面板５９を接着，固定しているため、上記蓋体５６，凹面板５９から環状ガスケット５７だけを分離することができず、環状ガスケット５７が損傷等した場合にも、環状ガスケット５７だけを交換することができず、蓋体５６とともに交換しなければならず、しかも、コンパクト容器を廃棄する場合に、蓋体５６，凹面板５９と環状ガスケット５７とに分別廃棄することができない。
【０００５】
本発明は、このような事情に鑑みなされたもので、安価で、在庫管理等の管理面が簡単化し、しかも、環状ガスケット等の気密用弾性枠だけを交換することができ、しかも、蓋体から気密用弾性枠を分離して分別廃棄することのできる気密容器の提供をその目的とする。
【課題を解決するための手段】
【０００６】
上記の目的を達成するため、本発明は、上面に化粧料収容凹部が形成された容器本体と、上記容器本体の上面を蓋する蓋体と、上記蓋体の裏面にその周側壁の内周面に沿って環状に配置され上記容器本体の上面に圧接して化粧料収容凹部の気密を保持する気密用弾性枠とを備え、上記蓋体の周側壁の内周面に、周側壁の延びる方向に沿って断続的に嵌合用凹部もしくは嵌合用凸部を形成し、上記気密用弾性枠の外周面に、上記嵌合用凹部もしくは嵌合用凸部に着脱自在に嵌合する被嵌合用凸部もしくは被嵌合用凹部を形成し、上記嵌合用部と被嵌合用部との嵌合により気密用弾性枠を蓋体の裏面に取着するように構成するとともに、上記蓋体の裏面に、上記蓋体の周側壁との間に所定の間隔をあけた状態で、上記嵌合用凹部もしくは嵌合用凸部に対応する個所がとぎれるように上記周側壁の延びる方向に沿って断続的に位置決め用凸部を突設し、上記蓋体と気密用弾性枠との嵌合時に、上記蓋体の裏面に取着された気密用弾性枠の内周面に上記位置決め用凸部を当接させるようにした気密容器をその要旨とする。
【発明の効果】
【０００７】
すなわち、本発明の気密容器は、上面に化粧料収容凹部が形成された容器本体と、上記容器本体の上面を蓋する蓋体と、上記蓋体の裏面にその周側壁の内周面に沿って環状に配置され上記容器本体の上面に圧接して化粧料収容凹部の気密を保持する気密用弾性枠とを備えている。そして、上記蓋体の周側壁の内周面に、周側壁の延びる方向に沿って断続的に嵌合用凹部もしくは嵌合用凸部を形成し、上記気密用弾性枠の外周面に、上記嵌合用凹部もしくは嵌合用凸部に着脱自在に嵌合する被嵌合用凸部もしくは被嵌合用凹部を形成し、上記嵌合用部と被嵌合用部との嵌合により気密用弾性枠を蓋体の裏面に取着するように構成するようにしている。このように、本発明の第１の気密容器では、上記蓋体の周側壁の内周面に形成した嵌合用部（すなわち、嵌合用凹部もしくは嵌合用凸部）と、上記気密用弾性枠の外周面に形成した被嵌合用部（すなわち、被嵌合用凸部もしくは被嵌合用凹部）とを利用して、上記蓋体の裏面に気密用弾性枠を取着しているため、従来例のような、蓋体５６の天面に環状ガスケット５７を保持するための凹面板５９を用いる必要がなく、製造コストが大幅に低減されて安価になるうえ、部品点数が少なくなり、在庫管理等の管理面が簡単化する。しかも、上記蓋体の裏面に気密用弾性枠を着脱自在に取着しているため、気密用弾性枠が損傷等した場合には、気密用弾性枠だけを交換することができ、しかも、蓋体から気密用弾性枠を分離して分別廃棄にも対応することができる。
【０００８】
また、上記蓋体の裏面に、上記蓋体の周側壁との間に所定の間隔をあけた状態で、上記嵌合用凹部もしくは嵌合用凸部に対応する個所がとぎれるように上記周側壁の延びる方向に沿って断続的に位置決め用凸部を突設し、上記蓋体と気密用弾性枠との嵌合時に、上記蓋体の裏面に取着された気密用弾性枠の内周面に上記位置決め用凸部を当接させるようにしているため、上記蓋体の裏面に取着された気密用弾性枠を上記位置決め用凸部により位置決め，固定することができる。
【０００９】
そして、上記気密用弾性枠の外周面に形成される被嵌合用凸部もしくは被嵌合用凹部が、上記外周面の上下方向中央部に形成されていると、上記気密用弾性体を上下逆にして使用することができるため、上記気密用弾性体の上下両面を利用することができる。なお、本発明の気密容器において、「嵌合用凸部」，「被嵌合用凸部」および「位置決め用凸部」は、点状，ブロック状等に形成されたものだけでなく、棒状，帯状，平板状，壁状等細長く形成されたものであっても、環状に繋がったものであってもよい。また、本発明の気密容器において、「嵌合用凹部」および「被嵌合用凹部」は、上記の「嵌合用凸部」もしくは「被嵌合用凸部」に着脱自在に嵌合しうるものであればよく、貫通孔であってもよい。
【発明を実施するための最良の形態】
【００１０】
つぎに、本発明の実施の形態を図面にもとづいて詳しく説明する。ただし、これに限定されるわけではない。
【００１１】
図１は本発明の第１の気密容器の一実施の形態を示している。この実施の形態では、気密容器として、コンパクト容器に収容して用いられる詰め替え用のレフィル容器が用いられている。上記コンパクト容器としては、例えば、図２に示すように、上面に、レフィル容器を収容する凹部５ａと、パフ等の化粧用具（図示せず）を収容する凹部５ｂとが左右に形成された容器体５と、この容器体５の上面を開閉自在に蓋する蓋６とを備えたものが用いられている。
【００１２】
図１において、１は合成樹脂製のレフィルケース（容器本体）であり、略四角形の皿状体に形成されている。このレフィルケース１には、その上面に略四角形の化粧料収容凹部１ａが形成されており、この化粧料収容凹部１ａに揮発性化粧料４が収容されている。また、上記レフィルケース１には、その周側壁１１の後壁中央部の外周面から後方に向かって左右一対の突片１２が突設されており、これら両突片１２間に円柱状のヒンジ軸１２ａが架設されている。また、上記レフィルケース１は、その周側壁１１の上端部外周面がその全周にわたって切り欠き形成されており、この切り欠き形成部１１ａに、後述するレフィル蓋２の周側壁１５が外嵌状に載置されるようにしている。
【００１３】
２は上記容器本体１の上面を蓋する合成樹脂製のレフィル蓋（蓋体）であり、図３〜図７に示すように、上記レフィルケース１の化粧料収容凹部１ａを蓋する略四角形平板状の天板部１４と、この天板部１４の外周縁部の下面から突設された略四角形枠状の周側壁１５と、この周側壁１５の後壁中央部の外周面から後方に向かって突設された断面形状略Ｕ字状（円筒体から、その軸方向の全幅にわたって、円筒体の後壁〔略１／４円弧状部分〕を切り欠き形成した形状）の筒状ヒンジ連結部１６とからなり、この筒状ヒンジ連結部１６が上記レフィルケース１のヒンジ軸１２ａに回動自在で、かつ着脱自在に支受されている。
【００１４】
また、上記レフィル蓋２には、その周側壁１５の左右両側壁の前後方向中央部および前後両側壁の左右方向中央部の中間高さ部から、相対峙するようにして、後述するパッキン３の環状溝部１９に着脱自在に嵌合する平板状の嵌合用凸条（嵌合用凸部）１７が水平方向に（すなわち、天板部１４と平行に）突設されている。また、上記レフィル蓋２には、その４つの角部およびこれら各角部の近傍部に沿って略Ｌ字状に折れ曲がる４本の位置決め用凸条（位置決め用凸部）１８が、上記天板部１４の裏面から、上記周側壁１５との間に所定の間隔（上記パッキン３の幅と略同じ間隔）をあけて突設されている。これら各位置決め用凸条１８は、隣り合う２つの位置決め用凸条１８の間に所定の隙間（上記各嵌合用凸条１７に対応する部分に、上記各嵌合用凸条１７と同じ長さに形成された隙間）ができるように、位置決め形成されている（図３および図６参照）。また、上記レフィル蓋２の周側壁１５の前側壁からは、開蓋時に手指でレフィル蓋２を持ち上げ操作する操作片２ａが突設されている。
【００１５】
３は上記レフィル蓋２の裏面に固定される略四角形環状のシリコンゴム製パッキン（気密用弾性板）であり、図８〜図１１に示すように、その外周面の全周に、上記各嵌合用凸条１７に着脱自在に嵌合しうる環状溝部（被嵌合用凹部）１９が形成されている。このようなパッキン３を上記レフィル蓋２の裏面に固定する場合には、このレフィル蓋２の周側壁１５と各位置決め用凸条１８との間にパッキン３を位置決めし、このパッキン３を天板部１４側に押し込む等することにより、レフィル蓋２の各嵌合用凸条１７をパッキン３の環状溝部１９に嵌合させることを行う。この状態では、上記パッキン３が上記周側壁１５および各位置決め用凸条１８に押圧状に当接している（図１２参照）。また、上記コンパクト容器を閉蓋した状態（すなわち、レフィル蓋２を閉蓋した状態）では、上記パッキン３の下面がレフィルケース１の上面に気密状に当接し（図１参照）、この当接により上記レフィルケース１の上面の全周でレフィルケース１の内部（すなわち、化粧料収容凹部１ａ）が気密状態に保持されている。
【００１６】
このように、上記実施の形態では、閉蓋時には、上記パッキン３の下面がレフィルケース１の上面に気密状に当接してレフィルケース１の上面の全周でレフィルケース１の化粧料収容凹部１ａ内が気密状態に保持されており、優れた気密性を有する。しかも、上記レフィル蓋２に設けた各嵌合用凸条１７と、上記パッキン３の外周部に形成した環状溝部１９とを利用して、上記レフィル蓋２の裏面にパッキン３を取着しているため、従来例のような、蓋体５６の天面に環状ガスケット５７を保持するための凹面板５９を用いる必要がなく、製造コストが大幅に低減されて安価になるうえ、部品点数が少なくなり、在庫管理等の管理面が簡単化する。しかも、上記レフィル蓋２の裏面にパッキン３を着脱自在に取着しているため、パッキン３が損傷等した場合には、パッキン３だけを交換することができ、しかも、レフィル蓋２からパッキン３を分離して分別廃棄にも対応することができる。
【００１７】
図１３は本発明の気密容器の参考の形態を示している。この参考の形態では、上記レフィル蓋２に設けた位置決め用壁部（位置決め用凸部）２１にパッキン３が固定されている（図１４参照）。より詳しく説明すると、上記レフィル蓋２は、図１５〜図１７に示すように、その天板部１４の裏面から四角形枠状の位置決め用壁部２１が、レフィル蓋２の周側壁１５との間に所定の間隔（上記パッキン３の幅と略同じ間隔）をあけて突設されており、上記位置決め用壁部２１の左右両側壁および前後両側壁の上端部にそれぞれ２個所、相対峙するようにして、後述するパッキン３の嵌合用凸条（嵌合用凸部）２３に着脱自在に嵌合する嵌合用孔部（嵌合用凹部）２２が貫通状に穿設されている。
【００１８】
一方、上記パッキン３は、図１８〜図２０に示すように、四角形枠状に形成されており、その内周面の上端部には、上記レフィル蓋２の各嵌合用孔部２２に対応する部分に、上記各嵌合用孔部２２に着脱自在に嵌合する嵌合用凸条２３が突設されている。そして、上記レフィル蓋２の裏面にパッキン３が、上記各嵌合用孔部２２と各嵌合用凸条２３とを嵌合させた状態で、上記レフィル蓋２の周側壁１５と位置決め用壁部２１との間に位置決めされて着脱自在に固定されている。また、上記パッキン３の下面の全面をレフィル蓋２の上面に圧接させることができ、確実に気密状態に保持することができる。それ以外の部分は上記実施の形態と同様であり、同様の部分には同じ符号を付している。この実施の形態でも、上記実施の形態と同様の作用・効果を奏する。
【００１９】
図２１は本発明の気密容器の参考の形態に用いるレフィル蓋２を示しており、このレフィル蓋２にパッキン３を固定している（図２２参照）。この参考の例では、上記実施の形態と異なり、上記レフィル蓋２に位置決め用突条１８を突設していない。それ以外の部分は、図３〜図７に示すレフィル蓋２と同様であり、同様の部分には同じ符号を付している。このレフィル蓋２を用いた場合にも、図１〜図１２に示す実施の形態と同様の作用・効果を奏する。
【００２０】
図２３は本発明の気密容器の実施の形態に用いるパッキン３の変形例を示しており、このパッキン３をレフィル蓋２に固定している（図２４参照）。この例では、上記パッキン３の外周面には、その上端部の全周に一条の環状凸部（嵌合用凸部）２５が突設されている。それ以外の部分は、図８〜図１１に示すパッキン３と同様である。一方、上記レフィル蓋２には、図３〜図７に示すレフィル蓋２と同様に、その周側壁１５の内周面に４つの凸条１７が突設されており、これにより、上記各凸条１７とレフィル蓋２の天板部１４との間に嵌合用凹部２６が形成されている。そして、上記パッキン３の環状凸部２５がレフィル蓋２の各嵌合用凹部２６に着脱自在に嵌合している。このようなパッキン３，レフィル蓋２を用いた場合にも、図１〜図１２に示す実施の形態と同様の作用・効果を奏する。
【００２１】
図２５は本発明の気密容器の参考の形態に用いるレフィル蓋２の変形例を示しており、このレフィル蓋２に、図２３に示すようなパッキン３を固定している（図２６参照）。この参考の例では、上記レフィル蓋２の周側壁１５の内周面には、その上端部の全周に一条の環状溝部（嵌合用凹部）２８が形成されており、この環状溝部２８に上記パッキン３の環状凸部２５が着脱自在に嵌合している。なお、上記環状溝部２８を、上記周側壁１５の内周面の上端部以外の部分に形成してもよく、この場合には、上記環状溝部２８に対応する上記パッキン３の外周面の部分に環状凸部２５が突設される。
【００２２】
図２７は本発明の気密容器の参考の形態に用いるレフィル蓋２の他の変形例を示しており、このレフィル蓋２にパッキン３を固定している（図２８参照）。この参考の例では、上記レフィル蓋２の位置決め用壁部２１に嵌合用孔部２２を穿設する代わりに、上記パッキン３の各嵌合用凸条２３に対応する上記位置決め用壁部２１の外周面の部分に嵌合用凹部３１を形成している。そして、上記パッキン３の各嵌合用凸条２３が上記レフィル蓋２の位置決め用壁部２１の各嵌合用凹部３１に着脱自在に嵌合している。それ以外の部分は、図１５〜図１７に示すレフィル蓋２と同様であり、同様の部分には同じ符号を付している。このレフィル蓋２を用いた場合にも、図１〜図１２に示す実施の形態と同様の作用・効果を奏する。
【００２３】
図２９は本発明の気密容器の参考の形態に用いるレフィル蓋２の他の変形例を示しており、このレフィル蓋２にパッキン３を固定している（図３０参照）。この参考の例では、上記レフィル蓋２には、その位置決め用壁部２１の左右両側壁および前後両側壁の外周面の中間高さ部に、相対峙するようにして、複数の嵌合用凸条（嵌合用凸部）３３が突設されている。一方、上記パッキン３の内周面には、上記各嵌合用凸条３３に対応する部分に、これら各嵌合用凸条３３に着脱自在に嵌合する嵌合用凹部３４が形成されている。そして、上記パッキン３の各嵌合用凹部３４が上記レフィル蓋２の位置決め用壁部２１の各嵌合用凸条３３に着脱自在に嵌合している。それ以外の部分は、図１５〜図１７に示すレフィル蓋２、図１８〜図２０に示すパッキン３と同様であり、同様の部分には同じ符号を付している。このようなレフィル蓋２，パッキン３を用いた場合にも、図１〜図１２に示す実施の形態と同様の作用・効果を奏する。
【００２４】
なお、上記各実施の形態では、気密容器として、レフィル容器を用い、そのレフィルケース１の化粧料収容凹部１ａに揮発性化粧料４を収容しているが、これに限定するものではなく、気密容器として、通常の化粧料容器を用い、化粧料収容凹部１ａに化粧皿を収容してもよい。
【００２５】
また、図３〜図７，図２１および図２４に示すレフィル蓋２では、その周側壁１５の内周面に所定間隔をあけて４つの嵌合用凸条１７を突設している。また、図２５に示すレフィル蓋２では、その周側壁１５の内周面の全周に環状溝部２８を形成しているが、所定間隔をあけて複数の溝部を形成してもよい。この場合には、図２６に示すパッキン３の、上記各溝部に対応する部分に凸部を突設する。また、図２７もしくは図２９に示すレフィル蓋２において、その位置決め用壁部２１の外周面の全周に嵌合用凹部３１もしくは嵌合用凸条３３を形成してもよい。
【００２６】
また、図８〜図１１および図２２に示すパッキン３では、その外周面の全周に環状溝部１９を形成し、図２４に示すパッキン３では、その上端部の全周に環状凸部２５を突設しているが、上記レフィル蓋２の各嵌合用凸条１７対応する部分にだけ形成してもよい。また、図２８もしくは図３０に示すパッキン３において、その内周面の全周に嵌合用凸条２３もしくは嵌合用凹部３４を形成してもよい。また、図８〜図１１，図２２もしくは図３０に示すパッキン３において、環状溝部１９もしくは嵌合用凹部３４を上下方向中央部に形成すると、パッキン３を上下逆にして使用することができるため、パッキン３の上下両面を利用することができる。
【図面の簡単な説明】
【００２７】
【図１】本発明の第１の気密容器の一実施の形態を示す断面図である。
【図２】コンパクト容器の斜視図である。
【図３】レフィル蓋の断面図である。
【図４】上記レフィル蓋の側面図である。
【図５】上記レフィル蓋の正面図である。
【図６】上記レフィル蓋の裏面図である。
【図７】上記レフィル蓋を裏面側から見た斜視図である。
【図８】パッキンの断面図である。
【図９】上記パッキンの平面図である。
【図１０】上記パッキンの側面図である。
【図１１】上記パッキンの斜視図である。
【図１２】上記レフィル蓋にパッキンを取り付けた状態を示す裏面図である。
【図１３】本発明の気密容器の参考の形態を示す断面図である。
【図１４】上記参考の形態におけるレフィル蓋にパッキンを取り付けた状態を示す断面図である。
【図１５】上記参考の形態における上記レフィル蓋の断面図である。
【図１６】上記参考の形態における上記レフィル蓋の裏面図である。
【図１７】上記参考の形態における上記レフィル蓋を裏面側から見た斜視図である。
【図１８】上記参考の形態における上記パッキンの断面図である。
【図１９】上記参考の形態における上記パッキンの平面図である。
【図２０】上記参考の形態における上記パッキンの斜視図である。
【図２１】本発明の気密容器の参考の形態に用いるレフィル蓋を示す断面図である。
【図２２】上記参考の形態におけるレフィル蓋にパッキンを取り付けた状態を示す断面図である。
【図２３】本発明の気密容器の実施の形態に用いるパッキンの変形例を示す断面図である。
【図２４】上記パッキンをレフィル蓋に取り付けた状態を示す断面図である。
【図２５】本発明の気密容器の参考の形態に用いるレフィル蓋の変形例を示す断面図である。
【図２６】上記参考の形態におけるレフィル蓋にパッキンを取り付けた状態を示す断面図である。
【図２７】本発明の気密容器の参考の形態に用いるレフィル蓋の他の変形例を示す断面図である。
【図２８】上記参考の形態におけるレフィル蓋にパッキンを取り付けた状態を示す断面図である。
【図２９】本発明の気密容器の参考の形態に用いるレフィル蓋の他の変形例を示す断面図である。
【図３０】上記参考の形態におけるレフィル蓋にパッキンを取り付けた状態を示す断面図である。
【図３１】従来例を示す断面図である。
【図３２】他の従来例を示す断面図である。
【符号の説明】
【００２８】
１    レフィルケース
１ａ  化粧料収容凹部
２    レフィル蓋
３    パッキン
１５  周側壁
１７  嵌合用凸条
１９  環状溝部
【図１】
0004820126.tif 000002
【図２】
0004820126.tif 000003
【図３】
0004820126.tif 000004
【図４】
0004820126.tif 000005
【図５】
0004820126.tif 000006
【図６】
0004820126.tif 000007
【図７】
0004820126.tif 000008
【図８】
0004820126.tif 000009
【図９】
0004820126.tif 000010
【図１０】
0004820126.tif 000011
【図１１】
0004820126.tif 000012
【図１２】
0004820126.tif 000013
【図１３】
0004820126.tif 000014
【図１４】
0004820126.tif 000015
【図１５】
0004820126.tif 000016
【図１６】
0004820126.tif 000017
【図１７】
0004820126.tif 000018
【図１８】
0004820126.tif 000019
【図１９】
0004820126.tif 000020
【図２０】
0004820126.tif 000021
【図２１】
0004820126.tif 000022
【図２２】
0004820126.tif 000023
【図２３】
0004820126.tif 000024
【図２４】
0004820126.tif 000025
【図２５】
0004820126.tif 000026
【図２６】
0004820126.tif 000027
【図２７】
0004820126.tif 000028
【図２８】
0004820126.tif 000029
【図２９】
0004820126.tif 000030
【図３０】
0004820126.tif 000031
【図３１】
0004820126.tif 000032
【図３２】
0004820126.tif 000033